(57)【要約】      （修正有）【課題】クランプを伸長または短縮させることができ、クランプの方角の調節ができる急速脱着型調節式ケーブルクランプを提供する。【解決手段】急速脱着型調節式ケーブルクランプは後バンド１、前左バンド２、前右バンド３を含む。後バンドの両端にそれぞれ第１調節スロット１１および第２調節スロット１２が設けられ、前左バンドの後端に第３調節スロット２１が設けられ、前右バンドの後端に第４調節スロット３１が設けられる。前左バンドおよび後バンドは、第１調節スロットおよび第３調節スロット中に挿設される第１固定部品により接続され、前右バンドおよび後バンドは、第２調節スロットおよび第４調節スロット中に挿設される第２固定部品により接続される。前左バンド前端に外側に屈曲した左側突起２２が設けられ、前右バンド前端に外側に屈曲した右側突起３２が設けられ、左側突起および右側突起は第３固定部品により接続される。【選択図】図１
0003226054.tif 000002
【実用新案登録請求の範囲】
【請求項１】
後バンド、前左バンド、前右バンドを含み、
前記後バンドの両端にそれぞれクランプの円周方向に沿って設けられる第１調節スロットおよび第２調節スロットが設けられ、前記前左バンド後端に第１調節スロットと対応する第３調節スロットが設けられ、前記前右バンド後端に第２調節スロットと対応する第４調節スロットが設けられ、
前記前左バンドおよび後バンドは、第１調節スロットおよび第３調節スロット中に挿設される第１固定部品により接続され、
前記前右バンドおよび後バンドは、第２調節スロットおよび第４調節スロット中に挿設される第２固定部品により接続され、
前記前左バンド前端に外側に屈曲した左側突起が設けられ、前記前右バンド前端に外側に屈曲した右側突起が設けられ、前記左側突起および右側突起は第３固定部品により接続されることを特徴とする、急速脱着型調節式ケーブルクランプ。
【請求項２】
前記第１固定部品および第２固定部品はいずれもボルトおよびナットからなる組立部品であることを特徴とする、請求項１に記載の急速脱着型調節式ケーブルクランプ。
【請求項３】
前記前左バンドおよび前右バンドの内環壁に、後バンド端部を前左バンドおよび前右バンドの後端から挿入させるスライド溝が設けられ、
後バンド端部はスライド溝内でクランプの円周方向に沿って前後にスライドすることができることを特徴とする、請求項２に記載の急速脱着型調節式ケーブルクランプ。
【請求項４】
前記ボルトの頭部端面がクランプの内側に位置することを特徴とする、請求項３に記載の急速脱着型調節式ケーブルクランプ。
【請求項５】
前記ボルトの頭部端面はスライド溝内に位置し、前記ボルトは外六角ボルトであり、外六角ボルトはスライド溝の縁部と組み合わさってボルトの回転を制限することを特徴とする、請求項４に記載の急速脱着型調節式ケーブルクランプ。
【請求項６】
前記第３固定部品がボルトおよびナットからなる組立部品であることを特徴とする、請求項１に記載の急速脱着型調節式ケーブルクランプ。
【請求項７】
前記左側突起および右側突起に貫通孔または優弧状の貫通溝が設けられることを特徴とする、請求項６に記載の急速脱着型調節式ケーブルクランプ。
【請求項８】
前記ナットが蝶ナットであることを特徴とする、請求項２に記載の急速脱着型調節式ケーブルクランプ。
【請求項９】
前記クランプの内壁面にゴムライニングが設けられることを特徴とする、請求項１〜８のいずれか１項に記載の急速脱着型調節式ケーブルクランプ。
【請求項１０】
前記後バンド、前左バンド、前右バンドがステンレスで製造されていることを特徴とする、請求項１〜８のいずれか１項に記載の急速脱着型調節式ケーブルクランプ。
【考案の詳細な説明】
【技術分野】
【０００１】
本考案はクランプに関し、具体的に急速脱着型調節式ケーブルクランプに関する。
【背景技術】
【０００２】
現在、配電網の工事において、ケーブルクランプには以下の不足が存在する。
１、クランプの開口の方角を調節することができない
クランプの開口の方角は固定され、基準線に対するケーブルの垂直度について、要求が比較的高い。実際にケーブルを敷設するとき、たびたび空間が狭いなどの原因により、ケーブルの位置にずれが生じることがあるため、固定するとき、横方向および縦方向の位置を繰り返し調整する必要があり、そうしてクランプ内に固定することができる。
【０００３】
２、ケーブル固定の頑丈さが不十分である。
一般的なクランプは片側がＵ状であり、もう片側は両端のボルトの締付により山形鋼の横梁と密着させる。このような固定方式により、ケーブルの片側の接触面は小さく、頑丈さは不十分であり、より容易にケーブルに圧がかかって変形し、安全面でリスクがある。
【０００４】
３、クランプの口径を調節することができない
現在、使用されるクランプの口径は単一であり、ケーブルが異なる型であるたびに対応するクランプに交換する必要があり、伸縮による調節を実現することができず、適用性が劣る。
【０００５】
４、脱着が繁雑である
既存のクランプは２つのボルトで脱着する必要があり、脱着は繁雑で、時間が長い。
【考案の概要】
【考案が解決しようとする課題】
【０００６】
本考案が解決しようとする技術的問題は、方角を調節することができ、締付が均等であり、口径が伸縮して調節することができる、急速脱着型調節式ケーブルクランプを提供することである。
【課題を解決するための手段】
【０００７】
上記技術的問題を解決するため、本考案は以下の技術案を採用する。
急速脱着型調節式ケーブルクランプは、後バンド、前左バンド、前右バンドを含み、前記後バンドの両端にそれぞれクランプの円周方向に沿って設けられる第１調節スロットおよび第２調節スロットが設けられ、前記前左バンド後端に第１調節スロットと対応する第３調節スロットが設けられ、前記前右バンド後端に第２調節スロットと対応する第４調節スロットが設けられ、前記前左バンドおよび後バンドは、第１調節スロットおよび第３調節スロット中に挿設される第１固定部品により接続され、前記前右バンドおよび後バンドは、第２調節スロットおよび第４調節スロット中に挿設される第２固定部品により接続され、前記前左バンド前端に外側に屈曲した左側突起が設けられ、前記前右バンド前端に外側に屈曲した右側突起が設けられ、前記左側突起および右側突起は第３固定部品により接続されることを特徴とする。該案は調節スロットおよび第１固定部品の組合せにより、クランプの円周方向に沿ってクランプを伸長または短縮させることができ、これにより口径の大きさを調節する。さらに固定部品を組み合わせる設計により、クランプの方角の調節を実現することができる。
【０００８】
好ましくは、前記第１固定部品および第２固定部品はいずれもボルトおよびナットからなる組立部品である。この構造はクランプの方角の調節を実現することができ、クランプを必要な方角に回転させた後、ボルト、ナットで固定すればよい。
【０００９】
好ましくは、前記前左バンドおよび前右バンドの内環壁に、後バンド端部を前左バンドおよび前右バンド後端から挿入させるスライド溝が設けられ、後バンド端部はスライド溝内でクランプの円周方向に沿って前後にスライドすることができる。この種の構造により、クランプの調節は十分に安定し、バンド間のずれ、揺れまたは回転を防止する。
【００１０】
好ましくは、前記ボルトの頭部端面はクランプの内側に位置し、取付が便利であり、さらにケーブルに圧がかかることはない。
【００１１】
さらに、前記ボルトの頭部端面はスライド溝内に位置し、前記ボルトは外六角ボルトであり、外六角ボルトはスライド溝の縁部と組み合わさってボルトの回転を制限する。ボルト端面はケーブルと接触することはなく、操作が便利である。
【００１２】
好ましくは、前記第３固定部品はボルトおよびナットからなる組立部品であり、前記左側突起および右側突起に貫通孔または優弧状の貫通溝が設けられる。操作が便利である。
【００１３】
好ましくは、前記クランプの内壁面にゴムライニングが設けられる。さらにケーブルを保護する。
【００１４】
好ましくは、前記後バンド、前左バンド、前右バンドをステンレス薄片で製造する。これによりクランプは一定の弾性性能を有し、ケーブルに対する強い圧力を減少させる。
【００１５】
本考案の急速脱着型調節式ケーブルクランプの方角は、３６０°回転させて調節することができる。クランプおよびケーブルの間の接触面は大きく、ケーブル固定は頑丈であり、ケーブルはより変形しにくい。締付は簡便で、様々な径のケーブルに適応することができ、使用範囲はより広い。
【００１６】
以下、図を組み合わせて本考案についてさらに説明する。
【図面の簡単な説明】
【００１７】
【図１】図１は、本考案の急速脱着型調節式ケーブルクランプにおける全体構造の概要図１である。
【図２】図２は、本考案の急速脱着型調節式ケーブルクランプにおける全体構造の概要図２である。
【図３】図３は、ナットがスライド溝内に位置する位置概要図である。
【考案を実施するための形態】
【００１８】
以下、本考案の実施例の図を組み合わせて、本考案の実施例の技術案について説明するが、下記の実施例は本考案の好ましい実施例に過ぎず、全てではない。考案を実施するための形態の実施例に基づき、当業者が創造的労働を行わない前提で得られるその他の実施例は、いずれも本考案の保護範囲に属する。
【００１９】
下記の記載において、例えば「内」、「外」、「上」、「下」、「左」、「右」など方位または位置関係を指示する用語は、実施例の記載を便利にし、記載を簡略化するために過ぎず、示した装置または部品が特定の方位、特定の方位での構造および操作を有さなければならないことを指示または暗示するのではない。したがって、本考案に対する制限と理解することはできない。
【実施例】
【００２０】
図１および図２に示すように、急速脱着型調節式ケーブルクランプは、後バンド１、前左ハンド２、前右バンド３を含む。前記後バンドの両端にそれぞれクランプの円周方向に沿って設けられる第１調節スロット１１および第２調節スロット１２が設けられ、前記前左バンド２の後端に第１調節スロット１１と対応する第３調節スロット２１が設けられ、前記前右バンド３の後端に第２調節スロット１２と対応する第４調節スロット３１が設けられる。前記前左バンド２および後バンド１は、第１調節スロット１１および第３調節スロット２１中に挿設される第１固定部品により接続され、前記前右バンド３および後バンド１は、第２調節スロット１２および第４調節スロット３１中に挿設される第２固定部品により接続される。前記前左バンド２前端に外側に屈曲した左側突起２２が設けられ、前記前右バンド３前端に外側に屈曲した右側突起３２が設けられ、前記左側突起および右側突起は第３固定部品により接続される。本実施例において、前記第１固定部品および第２固定部品はいずれもボルト４およびナット５からなる組立部品である。この構造はクランプの方角の調節を実現することができ、クランプを必要な方角に回転させた後、ボルト、ナットで固定すればよい。該案は調節スロットおよび第１固定部品の組合せにより、クランプの円周方向に沿ってクランプを伸長または短縮させることができ、これにより口径の大きさを調節する。前記後バンド、前左バンド、前右バンドを好ましくはステンレス薄片で製造する。これによりクランプは一定の弾性性能を有し、ケーブルに対する強い圧力を減少させる。必要に基づいて、固定部品のナットは蝶ナットを選択することもできる。
【００２１】
好ましい実施案として、本実施例において、前記前左バンド２および前右バンド３の内環壁に、後バンド端部１１１を前左バンドおよび前右バンドの後端から挿入させるスライド溝０１が設けられ、後バンド１端部はスライド溝０１内でクランプの円周方向に沿って前後にスライドすることができる。スライド溝０１は前左バンドおよび前右バンドを製造するとき、一体成形により実現することも、後に折り曲げて実現することもできる。この種の構造により、クランプの調節は十分に安定し、バンド間のずれ、揺れまたは回転を防止する。
【００２２】
図３のように、好ましい実施案として、本実施例において、前記ボルト４の頭部端面４１はクランプの内側に位置し、取付が便利であり、さらにケーブルに圧がかかることはない。前記ボルトの頭部端面４１はスライド溝０１内に位置する。前記ボルトは外六角ボルトであり、外六角ボルトはスライド溝の縁部と組み合わさってボルトの回転を制限する。ボルトの端面はケーブルと接触することはなく、操作が便利である。ボルト頭部は、当然内六角ボルトまたはその他の構造でもよい。
【００２３】
好ましい実施案として、本実施例において、前記第３固定部品はボルト４およびナット５からなる組立部品である。前記左側突起および右側突起に貫通孔または優弧状の貫通溝が設けられ、本実施例では優弧状の貫通溝２２２である。
【００２４】
好ましい実施案として、本実施例において、前記後バンド１は後左バンド１３および後右バンド１４を含み、後左バンドおよび後右バンドの後端はヒンジ構造により連結される。本実施例において、前記後左バンドの後端にヒンジ受２３が設けられ、ヒンジ受に嵌込溝２３１が設けられる。前記後右バンドの後端に突起部３３が設けられ、前記ヒンジ受２３および突起部３３のいずれにも回転軸の貫通孔が設けられる。前記突起部は嵌込溝内に嵌着され、回転軸６で貫通接続される。突起部、ヒンジ受および回転軸がヒンジ構造を構成する。
【００２５】
任意に、前記クランプの内壁面にゴムライニングを増設することができる。ケーブルをさらに保護する。
【００２６】
以上の記載は、考案を実施するための形態に過ぎない。しかし、本考案の保護範囲はこれに制限されず、当業者は本考案が図および上記考案を実施するための形態に記載の内容を含むが、これに限定されないことを理解するべきである。本考案の機能および構造の原理を逸脱しない修正は、いずれも実用新案登録請求の範囲に含まれる。
【図１】
0003226054.tif 000003
【図２】
0003226054.tif 000004
【図３】
0003226054.tif 000005